(57)【要約】【課題】  既存の共同受信システムに大幅な変更を加えることなく、光信号を受信することができるように共同受信システムを変更する。【解決手段】  共同受信システム１が、テレビジョン受信機において受信可能な電気信号を、複数の端末それぞれに伝送する。共同受信システム１は、入力側に前記電気信号を増幅する増幅器２を備えている。増幅器２は、その入力側に前記電気信号が供給されると共に、入力側から直流電流を出力可能に構成されている。前記電気信号で変調された光信号が光ファイバ３０を介して光受信機２６に伝送される。光受信機２６は、光−電気変換器３４において前記光信号を前記電気信号に変換して、増幅器２の入力側に同軸ケーブル２４を介して伝送する。同軸ケーブル２４を介して増幅器２の入力側から伝送された直流電流に基づいて光−電気変換器３４を作動させる直流電源３８も、光受信機２６は有している。光受信機２６は、増幅器２の近傍に配置されている【選択図】        図２
2006352244.tif 000002
【特許請求の範囲】
【請求項１】
テレビジョン受信機において受信可能な電気信号を、複数の端末それぞれに伝送し、入力側に前記電気信号を増幅する増幅器を備え、この増幅器は、その入力側に前記電気信号が供給されると共に、前記入力側から直流電流を出力可能に構成された共同受信システムにおいて、
前記電気信号で変調された光信号が光伝送線路を介して伝送され、前記光信号を前記電気信号に変換して、前記増幅器の入力側に電気伝送線路を介して供給する光−電気変換手段と、
前記電気伝送線路を介して前記増幅器の入力側から伝送された直流電流に基づいて前記変換手段を作動させる直流電源手段とを、
具備し、前記変換手段及び前記直流電源手段が、前記増幅器の近傍に配置されている共同受信システム用光受信機。
【請求項２】
請求項１記載の共同受信システム用光受信機において、前記光−電気変換手段と、前記直流電源手段とが、１つの筐体に収容されている共同受信システム用光受信機。
【発明の詳細な説明】
【技術分野】
【０００１】
本発明は、共同受信システムにおいて、伝送された光信号を電気信号に変換する光受信機に関する。
【背景技術】
【０００２】
共同受信システムでは、光伝送路を伝送された光信号を電気信号に変換して、共同受信システムの各端末に伝送することが行われている。そのため、共同受信システムでは、例えば特許文献１に示されているような光受信機が使用されている。
【０００３】
特許文献１の光受信機では、光伝送路を伝送された光信号を光−電気変換器によって電気信号に変換する。この電気信号は、増幅器によって増幅され、レベル調整回路によってチルト特性の調整及び利得調整が行われ、その後に別の増幅器によって増幅が行われて、同軸ケーブルを介して各端末に向けて伝送される。この光受信機は、共同受信システムの入力側に設置される。
【０００４】
【特許文献１】特開２０００−２９５５９０号公報
【発明の開示】
【発明が解決しようとする課題】
【０００５】
上記の光受信機では、光信号から電気信号への変換が行われた後、その電気信号の増幅が行われている。ところで、電気信号を伝送するように構成されている既存の共同受信システムにおいて、その入力信号が電気信号から光信号に変更されることがある。この場合、既存の共同受信システムの入力側にある増幅器を、上述したような光受信機に変更する必要がある。この変更は、既存の増幅器を取り外し、新たに光受信機に取り替える工事が必要であり、コストの増大を招く。
【０００６】
本発明は、既存の共同受信システムに大幅な変更を加えることなく、光信号を受信することができるように共同受信システムを変更することが可能な光受信機を提供することを目的とする。
【課題を解決するための手段】
【０００７】
本発明の一態様の光受信機は、共同受信システムに使用される。この共同受信システムは、テレビジョン受信機において受信可能な電気信号を、複数の端末それぞれに伝送する。この共同受信システムは、入力側に前記電気信号を増幅する増幅器を備えている。この増幅器は、その入力側に前記電気信号が供給されると共に、前記入力側から直流電流を出力可能に構成されている。この増幅器自身が直流電流の供給手段を備えることもあるし、外部に設けられた直流電流供給手段からの直流電流を、増幅器の入力側から出力するものであることもある。光受信機は、光−電気変換手段を有し、これには、前記電気信号で変調された光信号が光伝送線路を介して伝送される。光−電気変換手段は、前記光信号を前記電気信号に変換して、前記増幅器の入力側に電気伝送線路を介して供給する。直流電源手段が、前記電気伝送線路を介して前記増幅器の入力側から伝送された直流電流に基づいて前記変換手段を作動させる。前記光−電気変換手段及び前記直流電源手段が、前記増幅器の近傍に配置されている。
【０００８】
このように構成された光受信機では、光−電気変換手段によって光信号を電気信号に変換して、共同受信システムの入力側にある増幅器に供給している。従って、既存の共同受信システムの構成を変更する必要がない。しかも、この光受信機を作動させるための直流電流は、共同受信システムの入力側の増幅器から電気信号伝送線路を介して供給されるので、光−電気変換手段を作動させるための電源を別個に設ける必要はない。共同受信システムの入力側の増幅器は、例えば衛星放送や衛星通信受信用のアンテナが備えるコンバータの動作用に、当該増幅器の入力側から直流電流を送出するように構成されていることが多いので、共同受信システムの入力側の増幅器には、変更を加える必要がない。
【０００９】
上記の光受信機では、前記光−電気変換手段と、前記直流電源手段とを、１つの筐体に収容することができる。１つの筐体に直流電源手段と光−電気変換手段とを収めることにより、この光受信機の設置も容易になる。この筐体は、前記共同受信システムの入力側の増幅器の筐体と同じ高さ及び奥行き寸法を持つものとすることが望ましい。このようにサイズを揃えると、前記増幅器と前記光受信機とを並べて配置した場合、美観を損なうことがないし、設置も容易に行える。
【発明の効果】
【００１０】
以上のように、本発明による光受信機を使用すれば、既存の共同受信システムに大幅な変更を加えることなく、光信号を受信することができるように共同受信システムを変更することが可能になる。
【発明を実施するための最良の形態】
【００１１】
本発明の一実施形態の光受信機は、図１に示すような共同受信システム１において使用される。この共同受信システム１は、例えばマンション等の１つの棟内に敷設されたもので、その入力側に増幅器２を有している。この増幅器２の出力側が分配手段、例えば４分配器４に接続されている。この４分配器４の４つの分配端子には、電気伝送線路、例えば同軸ケーブルからなる幹線６ａ、６ｂ、６ｃ、６ｄが接続されている。これら幹線６ａ乃至６ｄ中には、それぞれ分岐手段、例えば２分岐器８が設けられている。これら２分岐器８には、端末、例えばテレビジョン受信機（図示せず）が接続される。各幹線６ａ、６ｂ、６ｃ、６ｄの中途には、それぞれ中継用増幅器１０がそれぞれ設けられている。なお、共同受信システム１の構成は、図１に示すもの以外にも多種のものがあり、例えば双方向の共同受信システムもある。
【００１２】
この共同受信システム１の入力側の増幅器２は、図２に示すように、入力端子１２に供給された電気信号、例えばテレビジョン受信機で受信可能な高周波信号を増幅する増幅段１４を有している。実際には、高周波信号は、ＵＨＦ帯のアナログテレビジョン放送信号、ＶＨＦ帯のアナログテレビジョン放送信号、ＶＨＦ帯の地上デジタルテレビジョン放送信号、ＧＨｚ帯の衛星放送中間周波信号等の種々のものがあり、ＵＨＦ帯のアナログテレビジョン放送信号、ＶＨＦ帯のアナログテレビジョン放送信号、ＶＨＦ帯の地上デジタルテレビジョン放送信号用の増幅段と、ＧＨｚ帯の衛星放送中間周波信号用の増幅段とが設けられ、これらはそれぞれ複数段にわたり、縦続接続されている。また、これら複数段の増幅段の前または間には周波数特性を調整するためのイコライザやチルト特性調整回路、利得調整回路等が設けられているが、図２では、これらを省略し、１台の増幅段１４のみを示している。なお、増幅器２には、上記複数段の増幅段及び上記調整回路等で増幅調整された電気信号を出力する出力端子２１が設けられている。
【００１３】
この増幅器２には、衛星放送受信用アンテナや衛星通信受信用アンテナに付属するコンバータを駆動するための直流電流供給手段、例えば直流電源１６が設けられている。この直流電源１６からの直流電流は、高周波阻止コイル１８を介して入力端子１２に供給されている。また、入力端子１２と増幅段１４との間には、直流阻止コンデンサ２０が設けられている。なお、この増幅器２は、図３に示すような箱型の筐体２２に収容されている。
【００１４】
この増幅器２の入力端子１２に、電気伝送線路、例えば同軸ケーブル２４を介して光受信機２６の出力端子２８が接続されている。光受信機２６は、図１に示すように、光伝送線路、例えば光ファイバ３０を介してヘッドエンド３２から伝送された光信号を受ける。なお、ヘッドエンド３２は、図１に示す共同受信システム１以外の共同受信システムに光信号を伝送するように、光ファイバ３０の他にも光ファイバ３０ａ、３０ｂ・・・等を有している。光ファイバ３０からの光信号は、テレビジョン受信機で受信可能な高周波信号で変調されており、図２に示すように、光−電気変換器３４において高周波信号に変換される。この高周波信号は、出力端子２８から同軸ケーブル２４を介して増幅器２に供給される。従って、光受信機２６を設置することによって、既存の共同受信システム１にはなんら変更を加えることなく、光ファイバーによって光信号が伝送されてくる場合に対応することができる。
【００１５】
この光−電気変換器３４を作動させるために直流電流が必要である。この直流電流は、増幅器２が備える直流電源１６から供給される。すなわち、上述したように直流電源１６からの直流電流は、入力端子１２から同軸ケーブル２４に供給可能である。同軸ケーブル２４が接続される光受信機２６の出力端子２８には、高周波阻止コイル３６を介して直流電源３８が接続されている。従って、増幅器２からの直流電流は、出力端子２８から高周波阻止コイル３６を介して直流電源３８に供給される。直流電源３８は、増幅器２からの直流電流を光−電気変換器３４に供給し、これを動作させる。直流電源３８は、供給された直流電流に基づいて発生させる直流電圧の値を光−電気変換器３４に対応した電圧に変換する。なお、直流電流が、光−電気変換器３４の出力側に回り込むことを防止するために、光−電気変換器３４の出力側と出力端子２８との間には直流阻止コンデンサ４０が接続されている。
【００１６】
この光−電気変換器３４と直流電源３８とは、図３に示すように、１つの筐体４２内に収容されている。この筐体４２は、増幅器２の筐体２２と同じ高さ寸法及び奥行き寸法を持つもので、その幅寸法が筐体２２よりも短く、扁平に構成されている。従って、この光受信機２６を、増幅器２と並べて配置するような場合でも、スイッチ等の操作具が配置される正面パネルをほぼ同じ位置に配置することができ、調整等の作業も容易に行える。また、美観上も好ましい。
【００１７】
なお、光受信機２６では、説明の簡略化のため、光−電気変換器３４と直流電源３８とを備えるものとしたが、図４に示す光受信機２６ａのように、光−電気変換器３４からの出力である高周波信号を増幅段４４によって増幅した後、レベル調整器４６によってレベル調整した後、出力端子２８に直流阻止コンデンサ４０を介して供給することもできる。この場合、増幅段４４の作動用の直流電流も直流電源３８から供給される。
【図面の簡単な説明】
【００１８】
【図１】本発明の１実施形態の光受信機が設置される共同受信システムのブロック図である。
【図２】本発明の１実施形態の光受信機と図１の共同受信システムの入力側に設けた増幅器との接続を示すブロック図である。
【図３】図２の光受信機と入力側増幅器との配置状態を示す斜視図である。
【図４】本発明の１実施形態の光受信機の変形例を示すブロック図である。
【符号の説明】
【００１９】
１  共同受信システム
２  入力側の増幅器
２６  光受信機
３４  光−電気変換器（光−電気変換手段）
３８  直流電源（直流電源手段）
【図１】
2006352244.tif 000003
【図２】
2006352244.tif 000004
【図３】
2006352244.tif 000005
【図４】
2006352244.tif 000006